(57)【要約】【課題】  電子マニュアルを利用する際の使い勝手を向上させる電子マニュアル装置を提供する。【解決手段】  電子マニュアル装置１０の電子マニュアル管理部１０１は、電子マニュアルをマニュアルページとしてページ単位に管理する。指標設定画面表示部１０３は、マニュアルページに対応付けるべき指標の値を入力するための指標設定画面Ｄ２０を表示装置１６に表示する。指標登録部１０４は、電子マニュアル利用者により指標設定画面Ｄ２０から入力された指標値とマニュアルページのページＩＤとを対応付けた指標情報を指標記憶領域１４３に登録する。【選択図】  図３
2006338518.tif 000002
【特許請求の範囲】
【請求項１】
電子マニュアルをマニュアルページとしてページ単位に管理する電子マニュアル管理手段と、
前記電子マニュアル管理手段により管理されているマニュアルページに対応付けるべき指標の値を入力するための指標設定画面を表示する指標設定画面表示手段と、
電子マニュアル利用者により前記指標設定画面から入力された指標値と、前記マニュアルページの識別情報と、を対応付けて登録する指標登録手段と
を備えることを特徴とする電子マニュアル装置。
【請求項２】
前記指標には、
重要度と、マニュアル内容の理解度と、読了度と、表示要否と、検索時の優先度を示す検索重みと
の少なくとも１の指標が含まれていることを特徴とする
請求項１に記載の電子マニュアル装置。
【請求項３】
マニュアルページに対応付けられている指標値に応じて該マニュアルページを表示するか否かの設定入力を行うための表示設定画面を表示する表示設定画面表示手段と、
電子マニュアル利用者により前記表示設定画面から入力された情報を登録する表示設定登録手段と、
前記表示設定登録手段及び前記指標登録手段により登録された情報に基づいて、マニュアルページの表示を制御するページ表示制御手段とをさらに備えることを特徴とする
請求項１又は２に記載の電子マニュアル装置。
【請求項４】
前記表示設定画面には、
前記指標の基準値を入力するための領域と、該指標の基準値とマニュアルページに対応付けられた指標値との大小関係を入力するための領域と、該大小関係が満たされた場合のマニュアルページの表示要否を入力するための領域と、が設けられていることを特徴とする
請求項３に記載の電子マニュアル装置。
【請求項５】
電子マニュアル利用者がユーザ重みを入力するためのユーザ重み入力領域と、電子マニュアル作成者が既定重みを入力するための既定重み入力領域と、前記ユーザ重みと前記既定重みとの比率を入力するための比率入力領域と、検索時の重みを表示するための検索重み表示領域と、が設けられた重み設定画面を表示する重み設定画面表示手段と、
電子マニュアル利用者により前記重み設定画面から入力されたユーザ重み及び比率と、予め電子マニュアル作成者により入力されている既定重みと、に基づいて、検索重みを算出する検索重み算出手段と、
前記検索重み算出手段により算出された検索重みを前記検索重み表示領域に表示する検索重み表示手段とをさらに備えることを特徴とする
請求項１から４の何れか１項に記載の電子マニュアル装置。
【発明の詳細な説明】
【技術分野】
【０００１】
本発明は、電子マニュアルを閲覧するための電子マニュアル装置に関する。
【背景技術】
【０００２】
従来、コンピュータを用いて各種電子マニュアルを作成・管理し、閲覧することが行われてきている（例えば、特許文献１〜３参照）。このような電子マニュアルは、文書マニュアルと異なり、検索性や共有性に優れている等の様々なメリットを有している。
しかし、コンピュータに保存される電子マニュアルの量が増加した場合には、電子マニュアル利用者は、大量に存在する電子マニュアルの中から必要な内容を検索するのに時間を要してしまい、使い勝手が悪くなるという問題点がある。
【０００３】
電子マニュアル利用の効率化を図る従来技術として、特許文献４には、ページ単位で記憶した電子マニュアルを使用目的毎に体系化する技術が記載されている。
【特許文献１】特開２００１−３０６５４９号公報
【特許文献２】特開平８−２１２１６１号公報
【特許文献３】特開平９−２２２９７３号公報
【特許文献４】特開昭６２−２１２８３１号公報
【発明の開示】
【発明が解決しようとする課題】
【０００４】
しかしながら、特許文献４に記載の技術を用いた場合には、電子マニュアル利用者は、常に使用目的名を入力し、決められた参照手順でマニュアルを参照する必要があるため、電子マニュアル利用者にとって参照する必要のないページも参照しなければならず、また、優先的に参照したいページを早く参照することができず、使い勝手がよいとはいえない。
本発明は上記の問題点を解決するためになされたものであり、電子マニュアルを利用する際の使い勝手を向上させる電子マニュアル装置を提供することを目的とする。
【課題を解決するための手段】
【０００５】
上記課題を解決するために、請求項１に記載の発明は、電子マニュアルをマニュアルページとしてページ単位に管理する電子マニュアル管理手段と、前記電子マニュアル管理手段により管理されているマニュアルページに対応付けるべき指標の値を入力するための指標設定画面を表示する指標設定画面表示手段と、電子マニュアル利用者により前記指標設定画面から入力された指標値と、前記マニュアルページの識別情報と、を対応付けて登録する指標登録手段とを備えることを特徴とする電子マニュアル装置を提供する。
【０００６】
この構成によれば、電子マニュアル装置は、電子マニュアル利用者により指標設定画面から入力された指標値とマニュアルページの識別情報とを対応付けて登録しておくことができるため、電子マニュアル利用者は、マニュアルページに対して自己の意図に沿った指標値を対応付けることができ、その指標値を用いて電子マニュアル利用時の使い勝手を向上させることができる。
【０００７】
請求項２に記載の発明は、請求項１に記載の電子マニュアル装置において、前記指標には、重要度と、マニュアル内容の理解度と、読了度と、表示要否と、検索時の優先度を示す検索重みとの少なくとも１の指標が含まれていることを特徴とする。
この構成によれば、マニュアルページに様々な指標を対応付けることができるため、マニュアルページを電子マニュアル利用者の意図に従って自由に分類することができ、電子マニュアル利用時の使い勝手を向上させることができる。
【０００８】
請求項３に記載の発明は、請求項１又は２に記載の電子マニュアル装置において、マニュアルページに対応付けられている指標値に応じて該マニュアルページを表示するか否かの設定入力を行うための表示設定画面を表示する表示設定画面表示手段と、電子マニュアル利用者により前記表示設定画面から入力された情報を登録する表示設定登録手段と、前記表示設定登録手段及び前記指標登録手段により登録された情報に基づいて、マニュアルページの表示を制御するページ表示制御手段とをさらに備えることを特徴とする。
【０００９】
この構成によれば、電子マニュアル利用者は、表示設定画面から設定入力を行うことで、マニュアルページに対応付けられた指標値に応じてマニュアルページを表示するか否かを自己の意図に従って制御することができ、電子マニュアル利用時の使い勝手を向上させることができる。
【００１０】
請求項４に記載の発明は、請求項３に記載の電子マニュアル装置において、前記表示設定画面には、前記指標の基準値を入力するための領域と、該指標の基準値とマニュアルページに対応付けられた指標値との大小関係を入力するための領域と、該大小関係が満たされた場合のマニュアルページの表示要否を入力するための領域と、が設けられていることを特徴とする。
【００１１】
この構成によれば、電子マニュアル利用者は、表示設定画面から設定入力を行うことで、指標の基準値と、マニュアルページに対応付けられた指標値との大小関係に応じて、マニュアルページを表示するか否かを設定することができる。従って、指標の基準値やマニュアルページに対応付ける指標値を木目細かに設定することで、マニュアルページの表示要否を木目細かに制御することができ、電子マニュアル利用時の使い勝手を向上させることができる。
【００１２】
請求項５に記載の発明は、請求項１から４の何れか１項に記載の電子マニュアル装置において、電子マニュアル利用者がユーザ重みを入力するためのユーザ重み入力領域と、電子マニュアル作成者が既定重みを入力するための既定重み入力領域と、前記ユーザ重みと前記既定重みとの比率を入力するための比率入力領域と、検索時の重みを表示するための検索重み表示領域と、が設けられた重み設定画面を表示する重み設定画面表示手段と、電子マニュアル利用者により前記重み設定画面から入力されたユーザ重み及び比率と、予め電子マニュアル作成者により入力されている既定重みと、に基づいて、検索重みを算出する検索重み算出手段と、前記検索重み算出手段により算出された検索重みを前記検索重み表示領域に表示する検索重み表示手段とをさらに備えることを特徴とする。
この構成によれば、電子マニュアル利用者は、ユーザ重みとその比率を重み設定画面から入力することにより、自由に検索重みを設定して検索時のマニュアルページ表示の優先順位を制御することができ、また、設定された検索重みを重み設定画面に表示して確認することができる。
【発明の効果】
【００１３】
本発明によれば、電子マニュアル装置は、電子マニュアル利用者により指標設定画面から入力された指標値とマニュアルページの識別情報とを対応付けて登録しておくことができるため、電子マニュアル利用者は、マニュアルページに対して自己の意図に沿った指標値を対応付けることができ、指標値によってマニュアルページを分類したり、対応付けた指標値に応じてマニュアルページを照会したりすることが可能となる。これにより、電子マニュアル利用時の使い勝手を向上させることができる。
【発明を実施するための最良の形態】
【００１４】
以下、図を参照して、本発明の実施の形態について説明する。
図１には、本発明の実施の形態に係る電子マニュアル装置１０のハードウェア構成を示す。同図に示すように、電子マニュアル装置１０は、装置１０全体を制御するＣＰＵ（Central Processing Unit）１１と、データを一時的に記憶するＲＡＭ（Random Access Memory）１２と、起動時に実行されるプログラムが記憶されるＲＯＭ（Read Only Memory）１３と、各種プログラム及びデータ等のソフトウェアを記憶するためのハードディスク装置１４と、キーボードやポインティングデバイス等からデータを入力する入力装置１５と、ディスプレイに各種画面を表示するための表示装置１６と、を含んで構成される。
【００１５】
ハードディスク装置１４に記憶されるプログラムには、表示装置１６に各種画面を表示するためのプログラムや、画面表示を制御するためのプログラムが含まれている。
表示装置１６に表示される画面の一例として、図２には操作マニュアル画面Ｄ１０を示す。この操作マニュアル画面Ｄ１０には、マニュアルページ画面Ｅ２０と、ページ送りボタンＥ３０と、画面モード選択ボタンＥ４０と、検索操作画面Ｅ５０と、検索重み設定画面Ｅ６０とが表示される。ページ送りボタンＥ３０は、表示されるマニュアルページ画面Ｅ２０を１ページ毎又は複数ページ毎に切り替える。画面モード選択ボタンＥ４０には、「基本操作」、「検索」、「ガイド」、「ジャンプ設定」の画面モードの切り替えボタンが設けられている。画面モード選択ボタンＥ４０の「検索」ボタンが選択されている場合に、操作マニュアル画面Ｄ１０に検索操作画面Ｅ５０と重み設定画面Ｅ６０とが表示される。
【００１６】
検索操作画面Ｅ５０には、検索語入力領域Ｅ５２と、検索開始ボタンＥ５３と、ページ送りボタンＥ５４とが設けられている。また、重み設定画面Ｅ６０は、電子マニュアル利用者がユーザ重みを入力するためのユーザ重み入力領域Ｅ６１と、電子マニュアル作成者が既定重みを入力するための既定重み入力領域Ｅ６２と、ユーザ重みの比率を入力するための重み比率入力領域Ｅ６３と、既定重みの比率を入力するための重み比率入力領域Ｅ６４と、検索時の重みを表示するための検索重み表示領域Ｅ６５とが設けられている。
【００１７】
表示装置１６に表示される画面の他の一例として、図３には指標設定画面Ｄ２０を示す。この指標設定画面Ｄ２０は、マニュアルページに対応付けるべき指標の値を入力するために用いられる画面である。図３に示すように、指標設定画面Ｄ２０には、非表示フラグを設定するためのチェックボックスと１６１ａと、マークフラグを設定するためのチェックボックス１６１ｂと、重要度を設定するためのチェックボックス１６１ｃと、理解度を設定するためのチェックボックス１６１ｄと、読了度を設定するためのチェックボックス１６１ｅと、自由指定項目を設定するためのチェックボックス１６１ｆと、電子マニュアル利用者がしおりとしての情報を入力するための入力領域１６１ｇと、が設けられている。この指標設定画面Ｄ２０は、表示装置１６に単独で表示されることも、操作マニュアル画面Ｄ１０の一部分として表示されることもある。
【００１８】
この指標設定画面Ｄ２０から入力可能な「指標」としては、重要度、マニュアル内容の理解度、読了度、表示要否、しおり（メモ、コメント）等が存在する。また、指標設定画面Ｄ２０から入力可能な「指標」以外に、操作マニュアル画面Ｄ１０から入力可能な「指標」として、検索時の優先度を示す検索重みが存在する。
【００１９】
表示装置１６に表示される画面の他の一例として、図４には表示設定画面Ｄ３０を示す。この表示設定画面Ｄ３０は、各マニュアルページに設定された指標値に応じて、マニュアルページを表示するか否かを設定するための画面である。同図に示すように、表示設定画面Ｄ３０には、指定が有効か無効かを設定するための領域１６２ａと、指標の基準値を設定するための領域１６２ｂと、当該指標の基準値とマニュアルページに設定されている指標値との大小関係（指標値は基準値よりも大きい、小さい、等しい、指標値は基準値以下、基準値以上等）を設定するための領域１６２ｃと、各種条件に応じてマニュアルページの表示要否を設定するための領域１６２ｄと、が設けられている。この表示設定画面Ｄ３０は、表示装置１６に単独で表示されることも、操作マニュアル画面Ｄ１０の一部分として表示されることもある。
【００２０】
また、ハードディスク装置１４には、データの記憶領域として、マニュアル記憶領域１４２と、指標記憶領域１４３と、表示設定記憶領域１４４と、検索重み記憶領域１４５とが設けられている。
マニュアル記憶領域１４２には、電子マニュアル作成者により作成された完成マニュアルのデータが、ページ毎にマニュアルページとして記憶されている。図５には、マニュアル記憶領域１４２に記憶されるマニュアルページのデータ構成の一例を示す。この例では、各マニュアルページは、画像ファイルで構成されている。各マニュアルページのファイル名として、各ページの識別情報としてのページＩＤに対応する名前が付けられている。
【００２１】
指標記憶領域１４３には、指標設定画面Ｄ２０から入力された指標情報がページ毎に記憶される。図６には、指標記憶領域１４３に記憶される指標情報のデータ構成例を示す。同図に示すように、指標情報は、マニュアルページの「ページＩＤ」と、指標設定画面Ｄ２０に設けられたチェックボックス等から入力された情報（「重要度」、「理解度」、「読了度」、「自由設定項目１」、「自由設定項目２」、「自由設定項目３」、「非表示フラグ」、「マーク」、「しおり」及び「しおり有効」）で構成される。
【００２２】
表示設定記憶領域１４４には、表示設定画面Ｄ３０から入力された表示設定情報が記憶される。図７には、表示設定記憶領域１４４に記憶される表示設定情報のデータ構成例を示す。同図に示すように、表示設定情報は、表示設定画面Ｄ３０のチェックボックス等から入力された情報（「指定有効」、「指標」、「基準値」、「大小関係」及び「ページ表示要否」）で構成される。
【００２３】
検索重み記憶領域１４５には、重み設定画面Ｅ６０から入力された検索重みデータが記憶される。図８には、検索重み記憶領域１４５に記憶される検索重みデータの構成の一例を示す。同図に示すように、検索重みデータは、マニュアルページの「ページＩＤ」と、電子マニュアル利用者により重み設定画面Ｅ６０から入力される「ユーザ重み」と、電子マニュアル作成者により予め設定された「既定重み」と、既定重み、ユーザ重み及び重み比率から算出された検索重みである「重み合計」と、で構成される。
【００２４】
また、ハードディスク装置１４には、指標設定画面Ｄ２０、表示設定画面Ｄ３０、及び、重み設定画面Ｅ６０から入力された情報に基づいて、検索重みを算出したり、マニュアルページの表示／非表示及び表示の優先順位を制御するためのプログラムや、検索重みによる表示制御を行うか否かを選択するための重み考慮フラグ等が記憶されている。
【００２５】
［機能構成］
以上説明した、電子マニュアル装置１０が備えるハードウェア及びソフトウェアにより、図９に示す機能構成が実現される。
電子マニュアル管理部１０１は、マニュアル記憶領域１４２に記憶されているマニュアルページを管理する。
ページ表示制御部１０２は、電子マニュアル管理部１０１により管理されているマニュアルページの表示を制御する。例えば、ページ表示制御部１０２は、表示設定記憶領域１４４に記憶されている表示設定情報と、指標記憶領域１４３に記憶されている指標情報とに基づいて、マニュアルページの表示／非表示を制御する。また、ページ表示制御部１０２は、検索重み記憶領域１４５に記憶されている検索重みデータに基づいて、検索実行時のマニュアルページの表示の優先順位を制御する。
【００２６】
指標設定画面表示部１０３は、マニュアルページに対応付ける指標の値を入力するための指標設定画面Ｄ２０を表示装置１６に表示する。
指標登録部１０４は、電子マニュアル利用者により指標設定画面Ｄ２０から入力された指標値とマニュアルページの識別情報であるページＩＤとを対応付けて登録する。具体的には、指標情報とページＩＤとを対応付けて、指標情報として指標記憶領域１４３に記憶する。
【００２７】
表示設定画面表示部１０５は、マニュアルページについての表示要否の設定入力を行うための表示設定画面Ｄ３０を表示装置１６に表示する。
表示設定情報登録部１０６は、電子マニュアル利用者により表示設定画面Ｄ３０から入力された表示設定情報を表示設定記憶領域１４４に記憶する。
重み設定画面表示部１０７は、重み設定画面Ｅ６０を表示装置１６に表示する。
検索重み算出部１０８は、電子マニュアル利用者により重み設定画面Ｅ６０から入力されたユーザ重み、及び、重み比率に基づいて、検索重みを算出する。
検索重み表示部１０９は、検索重み算出部１０８が算出した検索重みを、重み設定画面Ｅ６０の検索重み表示領域Ｅ６５に表示する。
【００２８】
［指標の設定処理］
次に、図１０に示すフローチャートを参照して、電子マニュアル装置１０が行う指標設定処理について説明する。
（重要度の設定処理）
まず、指標設定処理のうち重要度の設定処理について説明する。
電子マニュアル利用者は、入力装置１５を操作して、所望のマニュアルページと、指標設定画面Ｄ２０とを表示装置１６に表示させる指示を行う。これにより、指標設定画面表示部１０３は、指示されたマニュアルページ画面Ｅ２０及び指標設定画面Ｄ２０を表示装置１６に表示する（ステップＳ１０１）。
【００２９】
次に、電子マニュアル利用者は、重要度を設定するためのチェックボックス１６１ｃをチェックすることにより、重要度を入力する（ステップＳ１０２）。
これにより、指標登録部１０４は、表示中のマニュアルページ画面Ｅ２０のページＩＤとともに、チェックボックス１６１ｃにより入力された重要度データを、指標記憶領域１４３に書き込む（ステップＳ１０３）。
理解度、読了度、及び、自由指定項目の設定処理は、上記重要度の設定処理と同様の処理の流れであるため、説明を省略する。
【００３０】
（非表示フラグの設定処理）
次に、非表示フラグの設定処理について説明する。
ステップＳ１０１における処理と同様に、電子マニュアル利用者は、所望のマニュアルページ、及び、指標設定画面Ｄ２０を表示装置１６に表示させる指示を行う。これにより、指標設定画面表示部１０３は、指示されたマニュアルページ画面Ｅ２０及び指標設定画面Ｄ２０を表示装置１６に表示する（ステップＳ２０１）。
次に、電子マニュアル利用者は、非表示フラグを設定するためのチェックボックス１６１ａをチェックする（ステップＳ２０２）。
これにより、指標登録部１０４は、表示中のマニュアルページのページＩＤとともに、チェックボックス１６１ａにより入力された非表示フラグを、指標記憶領域１４３に書き込む（ステップＳ２０３）。
【００３１】
（マークフラグの設定処理）
次に、マークフラグの設定処理について説明する。
ステップＳ１０１における処理と同様に、電子マニュアル利用者は、所望のマニュアルページ、及び、指標設定画面Ｄ２０を表示装置１６に表示させる指示を行う。これにより、指標設定画面表示部１０３は、指示されたマニュアルページ画面Ｅ２０及び指標設定画面Ｄ２０を表示装置１６に表示する（ステップＳ３０１）。
次に、電子マニュアル利用者は、マークフラグを設定するためのチェックボックス１６１ｂをチェックする（ステップＳ３０２）。
これにより、指標登録部１０４は、表示中のマニュアルページのページＩＤとともに、チェックボックス１６１ｂにより入力されたマークフラグを、指標記憶領域１４３に書き込む（ステップＳ３０３）。
【００３２】
［表示要否設定処理］
次に、電子マニュアル装置１０が行う表示要否設定処理について説明する。
（重要度による表示要否設定処理）
まず、図１１に示すフローチャートを参照して、重要度による表示要否設定処理について説明する。まず、電子マニュアル利用者は、入力装置１５を操作して、表示設定画面Ｄ３０を表示装置１６に表示させる指示を行う。これにより、表示設定画面表示部１０５は、表示設定画面Ｄ３０を表示装置１６に表示する。
【００３３】
電子マニュアル利用者は、領域１６２ｂに設けられている重要度の基準値を設定するためのチェックボックスと、領域１６２ｃに設けられている大小関係を設定するためのチェックボックスと、領域１６２ｄに設けられている「する」に対応するチェックボックスと、をチェックすることにより、例えば、重要度＝５、重要度≧３等、表示させる重要度の基準値の設定入力を行う。
【００３４】
表示設定情報登録部１０６は、表示設定画面Ｄ３０から入力された表示設定情報を表示設定記憶領域１４４に記憶する（ステップＳ４０１）。
これにより、ページ送りボタンＥ３０によるページ送り等の操作が行われた時に、ページ表示制御部１０２は、条件に該当しないマニュアルページを表示しない（ステップＳ４０２）。
【００３５】
一方、電子マニュアル利用者が、領域１６２ｄにおける「しない」に対応するチェックボックスをチェックすることにより、例えば、重要度＝１、重要度≦３等、表示させない重要度の基準値を設定した場合には（ステップＳ４０３）、ページ表示制御部１０２は、ページ送り等の操作時に、条件に該当するページを表示しない（ステップＳ４０４）。
【００３６】
（非表示フラグによる表示要否設定処理）
次に、図１２を参照して、非表示フラグによる表示要否設定処理について説明する。
まず、電子マニュアル利用者は、表示設定画面Ｄ３０において、「非表示が「ｖ」のページを表示」の右欄の「しない」に対応するチェックボックスにチェックすることにより、非表示フラグがＯＮに設定されているマニュアルページを表示させない設定入力を行う。
【００３７】
表示設定情報登録部１０６は、表示設定画面Ｄ３０から入力された表示設定情報を表示設定記憶領域１４４に記憶する（ステップＳ５０１）。
これにより、ページ表示制御部１０２は、ページ送りボタンＥ３０によるページ送り等の操作時に、非表示フラグがＯＮに設定されているマニュアルページを表示しない（ステップＳ５０２）。
【００３８】
また、電子マニュアル利用者が、表示設定画面Ｄ３０において、「非表示が「ｖ」のページを表示」の右欄の「する」に対応するチェックボックスにチェックすることにより、非表示フラグがＯＮに設定されているマニュアルページを表示させる設定入力を行った場合には、表示設定情報登録部１０６は、表示設定画面Ｄ３０から入力された表示設定情報を表示設定記憶領域１４４に記憶する（ステップＳ５０３）。
これにより、ページ表示制御部１０２は、ページ送りボタンＥ３０によるページ送り等の操作時に、非表示フラグがＯＮに設定されているマニュアルページも表示する（ステップＳ５０４）。
【００３９】
（マークフラグによる表示要否設定処理）
次に、図１３を参照して、マークフラグによる表示要否設定処理について説明する。
まず、電子マニュアル利用者は、表示設定画面Ｄ３０において、「マークが「ｖ」のページを表示」の右欄の「しない」に対応するチェックボックスにチェックすることにより、マークフラグがＯＮに設定されているマニュアルページを表示させない設定入力を行う。
【００４０】
表示設定情報登録部１０６は、表示設定画面Ｄ３０から入力された表示設定情報を表示設定記憶領域１４４に記憶する（ステップＳ６０１）。
これにより、ページ表示制御部１０２は、ページ送りボタンＥ３０によるページ送り等の操作時に、マークフラグがＯＮに設定されているマニュアルページを表示しない（ステップＳ６０２）。
【００４１】
また、電子マニュアル利用者が、表示設定画面Ｄ３０において、「マークが「ｖ」のページを表示」の右欄の「する」に対応するチェックボックスにチェックすることにより、マークフラグがＯＮに設定されているマニュアルページを表示させる設定入力を行った場合には、表示設定情報登録部１０６は、表示設定画面Ｄ３０から入力された表示設定情報を表示設定記憶領域１４４に記憶する（ステップＳ６０３）。
これにより、ページ表示制御部１０２は、ページ送りボタンＥ３０によるページ送り等の操作時に、マークフラグがＯＮに設定されているマニュアルページも表示する（ステップＳ６０４）。
【００４２】
以上のように、ページ表示制御部１０２は、表示設定情報と指標情報とに基づいて、マニュアルページの表示／非表示を制御することができる。これにより、電子マニュアル利用者は、未読部分のマニュアルページのみを照会したり、重要部分のマニュアルページのみを照会したり、しおりが設定されているページのみを照会すること等が可能となる。すなわち、例えば、図１４に示すように、電子マニュアル管理部１０１で管理されている電子マニュアルの全文を、未読部分のみのマニュアルページや重要部分のみのマニュアルページに分類することができ、電子マニュアル利用者の使い勝手を向上させることができる。
【００４３】
［検索重み設定処理］
次に、図１５に示すフローチャートを参照して、検索重み設定処理について説明する。
電子マニュアル利用者は、入力装置１５から、所望のマニュアルページ画面Ｅ２０と重み設定画面Ｅ６０とを表示する操作を行う。これにより、重み設定画面表示部１０７は、マニュアルページ画面Ｅ２０と重み設定画面Ｅ６０とを表示する。
電子マニュアル利用者は、重み設定画面Ｅ６０のユーザ重み入力領域Ｅ６１に設けられているチェックボックスをチェックすることにより、ユーザ重みを設定する（ステップＳ７０１）。
【００４４】
電子マニュアル装置１０は、表示中のマニュアルページ画面Ｅ２０のページＩＤとともに、チェックされたチェックボックスに対応するユーザ重みデータを、検索重み記憶領域１４５に書き込む（ステップＳ７０２）。
電子マニュアル利用者は、重み設定画面Ｅ６０の重み比率入力領域Ｅ６３にユーザ重みの比率を入力することにより、重み比率を設定する（ステップＳ７０３）。
電子マニュアル装置１０は、表示中のマニュアルページ画面Ｅ２０のページＩＤとともに、重み比率入力領域Ｅ６３に入力されたユーザ重みの比率データを検索重み記憶領域１４５に書き込む（ステップＳ７０４）。
【００４５】
検索重み算出部１０８は、重み合計（検索重み）の値を以下の計算式で算出し、算出した値で検索重み記憶領域１４５の重み合計を更新する（ステップＳ７０５）。
重み合計＝（ユーザ重み×ユーザ重みの重み比率）＋（既定重み×（１−ユーザ重みの重み比率））
検索重み表示部１０９は、重み設定画面Ｅ６０の検索重み表示領域Ｅ６５に、重み合計を表示する（ステップＳ７０６）。
【００４６】
［重み考慮マニュアル検索処理］
次に、図１６に示すフローチャートを参照して、重み考慮マニュアル検索処理について説明する。
まず、電子マニュアル利用者は、入力装置１５を操作して、表示装置１６に操作マニュアル画面Ｄ１０を表示し、画面モード選択ボタンＥ４０のうち「検索」ボタンを選択する。そして、検索操作画面Ｅ５０の検索語入力領域Ｅ５２において検索語を選択し（ステップＳ８０１）、検索開始ボタンＥ５３をクリックする（ステップＳ８０２）。
これにより、電子マニュアル装置１０は、入力された検索語を含むマニュアルページをマニュアル記憶領域１４２から検索し、該当するマニュアルページのページＩＤを取得する（ステップＳ８０３）。
【００４７】
ステップＳ８０４において重み考慮フラグがＯＮに設定された場合は、ページ表示制御部１０２は、検索語を含み、かつ、検索重みが最大のマニュアルページ画面Ｅ２０を表示する（ステップＳ８０５）。
一方、重み考慮フラグがＯＦＦに設定された場合は、ページ表示制御部１０２は、検索語を含み、かつ、ページＩＤが最も小さいマニュアルページ画面Ｅ２０を表示する（ステップＳ８０６）。
【００４８】
次に、電子マニュアル利用者は、ページ送りボタンＥ５４をクリックし、次のマニュアルページを検索する操作を行う（ステップＳ８０７）。
重み考慮フラグがＯＮに設定されている場合は、ページ表示制御部１０２は、検索語を含み、かつ、ステップＳ８０５において表示したものの次に検索重みが大きいマニュアルページ画面Ｅ２０を表示する（ステップＳ８０８）。
一方、重み考慮フラグがＯＦＦに設定されている場合は、ページ表示制御部１０２は、検索語を含み、かつ、ステップＳ８０６において表示したものの次にページＩＤが小さいマニュアルページ画面Ｅ２０を表示する（ステップＳ８０９）。
【００４９】
以上説明したように、電子マニュアル利用者は、指標設定画面Ｄ２０、表示設定画面
Ｄ３０、及び、重み設定画面Ｅ６０等の画面を用いて、マニュアルページに対して各種指標の値や検索重みを対応付けたり、対応付けた指標値や検索重みによってマニュアルページの表示要否や検索時の優先順位を設定することができる。このため、電子マニュアル利用者は、１つの電子マニュアルの各ページをその時々の使用目的に合わせて、表示、非表示、優先表示等を自由に設定することができる。
【００５０】
このように、指標値によってマニュアルページを分類したり、指標値や検索重みに応じてマニュアルページを取捨選択して照会したりすることが可能となるため、電子マニュアル利用の際の使い勝手を向上させることができる。
なお、上述した実施形態において説明した各種データ構成及び表示画面は一例に過ぎず、本発明の技術思想の範囲で各種変形が可能である。
【産業上の利用可能性】
【００５１】
本発明は、操作マニュアルを始めとした種々の電子マニュアルについて適用可能であり、電子マニュアルを効率的に使い勝手よく利用する分野に利用可能である。
【図面の簡単な説明】
【００５２】
【図１】本発明の実施の形態に係る電子マニュアル装置のハードウェア構成を示すブロック図である。
【図２】同実施の形態に係る操作マニュアル画面の一例を示す図である。
【図３】同実施の形態に係る指標設定画面の一例を示す図である。
【図４】同実施の形態に係る表示設定画面の一例を示す図である。
【図５】同実施の形態に係るマニュアル記憶領域に記憶されるマニュアルページのデータ構成例を示す図である。
【図６】同実施の形態に係る指標記憶領域に記憶される指標情報のデータ構成例を示す図である。
【図７】同実施の形態に係る表示設定記憶領域に記憶される表示設定情報のデータ構成例を示す図である。
【図８】同実施の形態に係る検索重み記憶領域に記憶される検索重みデータの構成例を示す図である。
【図９】同実施の形態に係る電子マニュアル装置の機能構成の一例を示す図である。
【図１０】同実施の形態に係る指標設定処理の流れを示すフローチャートである。
【図１１】同実施の形態に係る重要度による表示要否設定処理の流れを示すフローチャートである。
【図１２】同実施の形態に係る非表示フラグによる表示要否設定処理の流れを示すフローチャートである。
【図１３】同実施の形態に係るマークフラグによる表示要否設定処理の流れを示すフローチャートである。
【図１４】同実施の形態に係る表示要否設定処理による効果を説明するための図である。
【図１５】同実施の形態に係る検索重み設定処理の流れを示すフローチャートである。
【図１６】同実施の形態に係る重み考慮マニュアル検索処理の流れを示すフローチャートである。
【符号の説明】
【００５３】
１０    電子マニュアル装置
１１    ＣＰＵ
１２    ＲＡＭ
１３    ＲＯＭ
１４    ハードディスク装置
１５    入力装置
１６    表示装置
１０１  電子マニュアル管理部
１０２  ページ表示制御部
１０３  指標設定画面表示部
１０４  指標登録部
１０５  表示設定画面表示部
１０６  表示設定情報登録部
１０７  重み設定画面表示部
１０８  検索重み算出部
１０９  検索重み表示部
１４２  マニュアル記憶領域
１４３  指標記憶領域
１４４ 表示設定記憶領域
１４５  検索重み記憶領域
Ｄ１０  操作マニュアル画面
Ｄ２０  指標設定画面
Ｄ３０  表示設定画面
Ｅ６０  重み設定画面
【図１】
2006338518.tif 000003
【図２】
2006338518.tif 000004
【図３】
2006338518.tif 000005
【図４】
2006338518.tif 000006
【図５】
2006338518.tif 000007
【図６】
2006338518.tif 000008
【図７】
2006338518.tif 000009
【図８】
2006338518.tif 000010
【図９】
2006338518.tif 000011
【図１０】
2006338518.tif 000012
【図１１】
2006338518.tif 000013
【図１２】
2006338518.tif 000014
【図１３】
2006338518.tif 000015
【図１４】
2006338518.tif 000016
【図１５】
2006338518.tif 000017
【図１６】
2006338518.tif 000018